(57)【要約】【課題】  直流電流を容易に遮断し得る真空スイッチを得る。【解決手段】  絶縁物からなる絶縁端板２と、前記絶縁端板２の一側面に固定された複数の固定側接点５ａ、５ｂ、５ｃ、５ｄと、対向して設けられた複数の可動側接点７ａ、７ｂ、７ｃ、７ｄと、前記複数の可動側接点７ａ、７ｂ、７ｃ、７ｄを前記複数の固定側接点５ａ、５ｂ、５ｃ、５ｄと接離させる操作ロッド１０と、前記操作ロッド１０を気密のもとに移動自在に貫通させ、且つ前記絶縁端板２の一側面に気密に固定された真空容器３とを備え、前記固定側接点５ａ、５ｂ、５ｃ、５ｄと前記可動側接点７ａ、７ｂ、７ｃ、７ｄとが複数組の対をなし、電気的に直列に接続されていることを特徴とする。【選択図】  図１
2006156272.tif 000002
【特許請求の範囲】
【請求項１】
絶縁物からなる絶縁端板と、
前記絶縁端板の一側面に固定された複数の固定側接点と、
前記複数の固定側接点とそれぞれ対向して設けられた複数の可動側接点と、
前記複数の可動側接点を前記複数の固定側接点と接離させる操作ロッドと、
前記複数の固定側接点および前記複数の可動側接点を覆うように配置されるとともに、前記操作ロッドを気密のもとに移動自在に貫通させ、且つ前記絶縁端板の一側面に気密に固定された真空容器とを備え、
前記固定側接点と前記可動側接点とが複数組の対をなし、電気的に直列に接続されていることを特徴とする真空スイッチ。
【請求項２】
対をなした複数組の前記固定側接点と前記可動側接点とをそれぞれアークシールドで包囲したことを特徴とする請求項１に記載の真空スイッチ。
【請求項３】
対をなした複数組の前記固定側接点と前記可動側接点とをそれぞれ前記絶縁端板に設けた凹部に収納したことを特徴とする請求項１に記載の真空スイッチ。
【請求項４】
前記可動側接点と前記操作ロッド間にセラミックバネを設けたことを特徴とする請求項１乃至請求項３のいずれか１項に記載の真空スイッチ。
【請求項５】
前記固定側接点と前記可動側接点の軸方向を磁束が横切るように、この固定側接点と可動側接点との周囲に一対の永久磁石を配置したことを特徴とする請求項１乃至請求項４のいずれか１項に記載の真空スイッチ。
【請求項６】
前記固定側接点と前記可動側接点の軸方向を磁束が横切るように、この固定側接点と可動側接点との周囲に磁性体の開口部を配置し、前記磁性体に前記固定側接点を通電する主回路導体を巻き付けたことを特徴とする請求項１乃至請求項４のいずれか１項に記載の真空スイッチ。
【請求項７】
対をなして直列に接続された前記固定側接点端と前記可動側接点端間のアーク電圧が回路電圧以上であることを特徴とする請求項１乃至請求項６のいずれか１項に記載の真空スイッチ。
【発明の詳細な説明】
【技術分野】
【０００１】
本発明は、直流電流を容易に遮断し得る真空スイッチに関する。
【背景技術】
【０００２】
周知のように真空スイッチは、１０−２Ｐａ以下の真空中で接離自在の一対の接点を開離させ、真空の持つ優れた消弧性、絶縁性を利用して電流遮断を行うものである。
【０００３】
交流電流の遮断では、真空アークが電流零点に近づくにつれて陰極表面のカソードスポットと呼ばれる部分からの金属蒸気の供給が低下するとともに、アークプラズマの拡散や再結合が行われ、アークが消弧される。
【０００４】
しかしながら、直流電流では、電流零点が形成されないため、カソードスポットからの金属蒸気の発生が継続し、遮断が困難になる。そこで、従来、遮断しようとする電流と逆極性の高周波電流を直流電流に重畳し、電流零点を強制的に作り、遮断することが知られている（例えば、特許文献１参照。）。
【０００５】
一方、電流零点を形成することなく、直流電流を遮断する技術がある。これは、大気中において、接点間で発生するアークを引き伸ばしてアーク電圧を上昇させるものであり、直流電磁接触器や配線用遮断器などがある。しかしながら、アーク電圧はアーク長に比例するため、アークを消弧する消弧室が大型化する問題がある。
【０００６】
そこで、水素ガス中でアークを遮断し、コンパクトな消弧室とするものが知られている（例えば、特許文献２参照。）。これは、水素ガスの高い熱伝導性によりアークを強力に冷却し、アーク電圧を回路電圧以上に上昇させるものであり、電気自動車などのスイッチに用いられている。
【特許文献１】特開平３−６７４２９号公報（第４ページ、第１図）
【特許文献２】特開平９−３２０４１１号公報（第６ページ、図１）
【発明の開示】
【発明が解決しようとする課題】
【０００７】
上記の従来の真空スイッチにおいては、次のような問題がある。
【０００８】
真空中で直流電流を遮断する場合には、高周波電流を作る外部回路の転流回路を真空スイッチに並列に接続しなければならなかった。また、高周波電流を重畳させるタイミングを制御する制御回路が必要であり、真空スイッチの全体形状が大型化、および複雑化していた。
【０００９】
一方、水素ガス中で直流電流を遮断する場合には、水素ガスを封入したセラミックなどの絶縁容器を水素分子が透過し易く、水素濃度が低下することがある。水素濃度が低下すると、遮断性能が低下するので、定期的に交換をしなくてはならなかった。
【００１０】
このため、水素ガスのような気体を封入せず、また、簡素な構造のもと真空中で直流電流を遮断する真空スイッチが望まれていた。
【００１１】
本発明は上記問題を解決するためになされたもので、簡素な構造で直流電流を容易に遮断し得る真空スイッチを得ることを目的とする。
【課題を解決するための手段】
【００１２】
上記目的を達成するために、本発明の真空スイッチは、絶縁物からなる絶縁端板と、絶縁端板の一側面に固定された複数の固定側接点と、複数の固定側接点とそれぞれ対向して設けられた複数の可動側接点と、複数の可動側接点を複数の固定側接点と接離させる操作ロッドと、複数の固定側接点および複数の可動側接点を覆うように配置されるとともに、操作ロッドを気密のもとに移動自在に貫通させ、且つ絶縁端板の一側面に気密に固定された真空容器とを備え、固定側接点と可動側接点とが複数組の対をなし、電気的に直列に接続されていることを特徴とする。
【発明の効果】
【００１３】
本発明によれば、複数組で対をなした接離自在の接点を直列に接続しているので、真空中で発生するアーク電圧が接点を直列に接続した割合で上昇し、直流電流を遮断することができる。
【発明を実施するための最良の形態】
【００１４】
以下、図面を参照して本発明の実施例を説明する。
【実施例１】
【００１５】
先ず、本発明の実施例１に係る真空スイッチを図１を参照して説明する。図１は、本発明の実施例１に係る真空スイッチの構成を示す断面図である。
【００１６】
図１に示すように、真空スイッチ１は、例えばセラミックのような絶縁物からなる板状の絶縁端板２に、金属製からなり一面が開口した箱状の真空容器３の開口部が気密に取り付けられ、構成されている。
【００１７】
絶縁端板２には、一方端に一方の電路となる主回路導体４ａが気密に貫通し、他方端に他方の電路となる主回路導体４ｂが気密に貫通している。これらの主回路導体４ａ、４ｂ端の真空容器３内には、固定側接点５ａ、５ｄがそれぞれ固定されている。また、これらの固定側接点５ａ、５ｄ間には、数十Ｖに耐え得る所定の絶縁耐力を有して離隔された固定側接点５ｂ、５ｃが略等間隔で配置されている。そして、この固定側接点５ｂ、５ｃは、絶縁端板２に固定された固定側連結板６で接続されている。
【００１８】
これらの固定側接点５ａ、５ｂ、５ｃ、５ｄに対向して、接離自在の可動側接点７ａ、７ｂ、７ｃ、７ｄがそれぞれ設けられている。これら可動側接点７ａ、７ｂ、７ｃ、７ｄのうち、可動側接点７ａ、７ｂは第１の可動側連結板８ａで接続され、また、可動側接点７ｃ、７ｄは第２の可動側連結板８ｂで接続されている。これにより、四組の対をなした接離自在の接点５ａ−７ａ、５ｂ−７ｂ、５ｃ−７ｃ、５ｄ−７ｄが直列に接続されることになる。
【００１９】
第１および第２の可動側連結板８ａおよび８ｂは、例えばセラミックのような絶縁物からなる板状の絶縁操作板９に固定されている。そして、この絶縁操作板９には、図示しない操作機構に連結された操作ロッド１０が固定され、真空容器３の底部３ａの中央開口部を移動自在に貫通している。
【００２０】
真空容器３内の操作ロッド１０の中間部には、伸縮自在のベローズ１１の一方端が気密に固定され、また、ベローズ１１の他方端が底部３ａの中央開口部に気密に固定されている。これにより、内部圧力１０−２Ｐａ以下の真空を維持しながら、操作ロッド１０を軸方向に移動させることが可能となっている。
【００２１】
また、四組の対をなした接点５ａ−７ａ、５ｂ−７ｂ、５ｃ−７ｃ、５ｄ−７ｄには、真空アーク３ｂの発生時に金属蒸気の拡散を防止するアークシールド１２ａ、１２ｂ、１２ｃ、１２ｄがそれぞれの接点５ａ−７ａ、５ｂ−７ｂ、５ｃ−７ｃ、５ｄ−７ｄ間を包囲するように設けられている。
【００２２】
そして、直流電流を遮断する場合、操作ロッド１０を図示下方に移動させる。すると、第１の可動側連結板８ａと第２の可動側連結板８ｂとに固定されている可動側接点７ａ、７ｂ、７ｃ、７ｄがそれぞれの固定側接点５ａ、５ｂ、５ｃ、５ｄから同時に開離し、それぞれ真空アーク３ｂが発生する。このアーク電圧は、接点５ａ、５ｂ、５ｃ、５ｄ、７ａ、７ｂ、７ｃ、７ｄの金属材料によって異なってくるが、一般的には、銅を主成分とすると、それぞれの接点５ａ−７ａ、５ｂ−７ｂ、５ｃ−７ｃ、５ｄ−７ｄ間で約２０Ｖとなる。
【００２３】
したがって、四組の対をなした接点５ａ−７ａ、５ｂ−７ｂ、５ｃ−７ｃ、５ｄ−７ｄを直列に接続していると、主回路導体４ａ、４ｂ間のアーク電圧は四倍の約８０Ｖとなる。このため、真空スイッチ１が用いられている回路電圧が８０Ｖ未満であれば、アーク電圧が回路電圧を上回り、直流電流を遮断することができる。即ち、回路電圧を上回るように対をなした接点５ａ−７ａ、５ｂ−７ｂ、５ｃ−７ｃ、５ｄ−７ｄを直列に接続すれば、真空中で直流電流を遮断することができる。
【００２４】
上記実施例１の真空スイッチ１によれば、四組の対をなした接離自在の接点５ａ−７ａ、５ｂ−７ｂ、５ｃ−７ｃ、５ｄ−７ｄを直列に接続して開閉しているので、アーク電圧が四倍に上昇し、直流電流を遮断することができる。
【００２５】
上記実施例１では、四組の接点５ａ−７ａ、５ｂ−７ｂ、５ｃ−７ｃ、５ｄ−７ｄを用いて説明したが、二組以上の複数組の対をなした接離自在の接点を用いることができる。これにより、アーク電圧を増減させることができ、真空スイッチ１を適用する回路電圧を拡大させることができる。
【実施例２】
【００２６】
次に、本発明の実施例２に係る真空スイッチを図２を参照して説明する。図２は、本発明の実施例２に係る真空スイッチの構成を示す断面図である。なお、この実施例２が実施例１と異なる点は、絶縁端板に凹部を設けたことである。図２において、実施例１と同様の構成部分においては、同一符号を付し、その詳細な説明を省略する。
【００２７】
図２に示すように、真空容器３側の絶縁端板２０には、略等間隔で凹部２０ａ、２０ｂ、２０ｃ、２０ｄが設けられ、固定側接点５ａ、５ｂ、５ｃ、５ｄがそれぞれの凹部２０ａ、２０ｂ、２０ｃ、２０ｄの底部に固定されている。ここで、四組の対をなした接点５ａ−７ａ、５ｂ−７ｂ、５ｃ−７ｃ、５ｄ−７ｄは、それぞれ凹部２０ａ、２０ｂ、２０ｃ、２０ｄ内に収納されるようになっている。
【００２８】
また、中間部に位置する固定側接点５ｂ、５ｃは、絶縁端板２０を気密に貫通した接続ピン２１ａ、２１ｂに固定されている。そして、それぞれの固定ピン２１ａ、２１ｂは、外部において外部固定側連結板２２で接続されている。
【００２９】
上記実施例２の真空スイッチ１によれば、実施例１と同様の効果のほかに、実施例１で用いたアークシールドが不要となり構造が簡素なものとなる。
【実施例３】
【００３０】
次に、本発明の実施例３に係る真空スイッチを図３を参照して説明する。図３は、本発明の実施例３に係る真空スイッチの構成を示す断面図である。なお、この実施例３が実施例２と異なる点は、可動側連結板と絶縁操作板間にセラミックバネを設けたことである。図３において、実施例２と同様の構成部分においては、同一符号を付し、その詳細な説明を省略する。なお、図３において、図示右側に真空スイッチの開路状態、図示左側に真空スイッチの閉路状態を示す。
【００３１】
図３に示すように、第１の可動側連結板８ａおよび第２の可動側連結板８ｂには、それぞれ連結ピン３０ａ、３０ｂが固定され、絶縁操作板９をそれぞれ移動自在に貫通している。また、第１の可動側連結板８ａと絶縁操作板９間、および第２の可動側連結板８ｂと絶縁操作板９間には、それぞれの連結ピン３０ａ、３０ｂを包囲するようにセラミックバネ３１ａ、３１ｂが設けられている。
【００３２】
また、連結ピン３０ａ、３０ｂには、第１の可動側連結板８ａおよび第２の可動側連結板８ｂと対向する側に鍔部３２ａ、３２ｂが設けられている。そして、真空スイッチ１を開路する場合、鍔部３２ａ（３２ｂ）が絶縁操作板９に当接して、可動側接点７ａ、７ｂ（７ｃ、７ｄ）が固定側接点５ａ、５ｂ（５ｃ、５ｄ）から開離できるようになっている。
【００３３】
上記実施例３の真空スイッチ１によれば、実施例１と同様の効果のほかに、それぞれの接点５ａ−７ａ、５ｂ−７ｂ、５ｃ−７ｃ、５ｄ−７ｄ間が接触する閉路時、この接点５ａ−７ａ、５ｂ−７ｂ、５ｃ−７ｃ、５ｄ−７ｄ間にセラミックバネ３１ａ、３１ｂにより接触荷重を加えることができる。
【実施例４】
【００３４】
次に、本発明の実施例４に係る真空スイッチを図４を参照して説明する。図４は、本発明の実施例４に係る真空スイッチの構成を示す上面図である。なお、この実施例４が実施例３と異なる点は、絶縁端板を円形状としたことである。図４において、実施例３と同様の構成部分においては、同一符号を付し、その詳細な説明を省略する。
【００３５】
図４に示すように、円形状の絶縁端板４０の四角形の頂点部に凹部４０ａ、４０ｂ、４０ｃ、４０ｄを設け、四組の接点５ａ−７ａ、５ｂ−７ｂ、５ｃ−７ｃ、５ｄ−７ｄのうちの固定側接点５ａ、５ｂ、５ｃ、５ｄがこの凹部４０ａ、４０ｂ、４０ｃ、４０ｄにそれぞれ固定されている。また、固定側接点５ｂ、５ｃは、固定ピン２１ａ、２１ｂを介して外部固定側連結板２２で接続されている。可動側接点７ａ、７ｂは第１の可動側連結板８ａ、また可動側接点７ｃ、７ｄは第２の可動側連結板８ｂで接続されている。真空容器４１は、絶縁端板４０の形状に合わせて有底の筒状であり、その周縁部が絶縁端板４０に気密に固定されている。
【００３６】
上記実施例４の真空スイッチ１によれば、実施例１と同様の効果のほかに、真空容器４１内に四組の接点５ａ−７ａ、５ｂ−７ｂ、５ｃ−７ｃ、５ｄ−７ｄを効率よく配置でき、真空スイッチ１の全体形状を縮小化することができる。
【００３７】
上記実施例４では、絶縁端板３０を円形状で説明したが、この形状に拘らず、楕円形状や多角形状でもよい。また、対をなした接離自在の接点を二組以上の複数組としてもよい。
【実施例５】
【００３８】
次に、本発明の実施例５に係る真空スイッチを図５および図６を参照して説明する。図５は、本発明の実施例５に係る真空スイッチの構成を示す断面図、図６は、本発明の実施例５に係る真空スイッチの構成を示す上面図である。なお、この実施例５が実施例２と異なる点は、接点間に磁界を加えたことである。図５、図６において、実施例２と同様の構成部分においては、同一符号を付し、その詳細な説明を省略する。
【００３９】
図５、図６に示すように、真空スイッチ１は、例えばセラミックのような絶縁物からなる円形状の絶縁端板５０に、金属製からなる有底の筒状の真空容器５１の周縁部が気密に取り付けられ、構成されている。
【００４０】
この絶縁端板５０の真空容器５１外の中心部には、凹部５２が形成され、また、絶縁端板５０の真空容器５１内には、円周方向に沿って略等間隔に八個の凹部５０ａ、５０ｂ、５０ｃ、５０ｄ、５０ｅ、５０ｆ、５０ｇ、５０ｈが形成されている。そして、凹部５０ａ、５０ｂ、５０ｃ、５０ｄ、５０ｅ、５０ｆ、５０ｇ、５０ｈの底部には、それぞれ固定側接点５ａ、５ｂ、５ｃ、５ｄ、５ｅ、５ｆ、５ｇ、５ｈが固定されている。また、固定側接点５ａ、５ｂ、５ｃ、５ｄ、５ｅ、５ｆ、５ｇ、５ｈと対向して、接離自在の可動側接点７ａ、７ｂ、７ｃ、７ｄ、７ｅ、７ｆ、７ｇ、７ｈが設けられている。
【００４１】
固定側接点５ｂ、５ｃは固定ピン５７ａ、５７ｂを介して第１の外部固定側連結板５３ａで接続され、固定側接点５ｄ、５ｅは固定ピン５７ｃ、５７ｄを介して第２の外部固定側連結板５３ｂで接続され、固定側接点５ｆ、５ｇは固定ピン５７ｅ、５７ｆを介して第３の外部固定側連結板５３ｃで接続されている。可動側接点７ａ、７ｂは真空容器５１内の第３の可動側連結板５４ａで接続され、可動側接点７ｃ、７ｄは図示しない可動側連結板で接続され、可動側接点７ｅ、７ｆは第４の可動側連結板５４ｂで接続され、可動側接点７ｇ、７ｈは第５の可動側連結板５４ｃで接続されている。そして、これらの可動側連結板５４ａ、５４ｂ、５４ｃは、絶縁操作板９に固定されている。
【００４２】
これにより、八組の対をなした接離自在の接点５ａ−７ａ、５ｂ−７ｂ、５ｃ−７ｃ、５ｄ−７ｄ、５ｅ−７ｅ、５ｆ−７ｆ、５ｇ−７ｇ、５ｈ−７ｈが直列に接続されることになる。
【００４３】
また、絶縁端板５０の外周面と凹部５２内周面とには、これらの接点５ａ−７ａ、５ｂ−７ｂ、５ｃ−７ｃ、５ｄ−７ｄ、５ｅ−７ｅ、５ｆ−７ｆ、５ｇ−７ｇ、５ｈ−７ｈの軸方向を磁束φが横切るように、それぞれ一対の永久磁石５５、５６が対向して設けられている。
【００４４】
これにより、真空アークは、磁界により駆動され、直流電流の遮断特性を向上させることができる。
【００４５】
上記実施例５の真空スイッチ１によれば、実施例１と同様の効果のほかに、真空アークが磁界により駆動され遮断特性を向上させることができる。
【００４６】
上記実施例５では、八組の接点５ａ−７ａ、５ｂ−７ｂ、５ｃ−７ｃ、５ｄ−７ｄ、５ｅ−７ｅ、５ｆ−７ｆ、５ｇ−７ｇ、５ｈ−７ｈで説明したが、二組以上の複数組としてもよい。
【実施例６】
【００４７】
次に、本発明の実施例６に係る真空スイッチを図７を参照して説明する。図７は、本発明の実施例６に係る真空スイッチの構成を示す要部拡大上面図である。なお、この実施例６が実施例５と異なる点は、接点を偏心させたことである。図７において、実施例５と同様の構成部分においては、同一符号を付し、その詳細な説明を省略する。
【００４８】
図７に示すように、絶縁端板５０の凹部５０ｂ、５０ｃ、５０ｄの底部に固定する固定側接点５ｂ、５ｃ、５ｄを偏心させている。即ち、固定側接点５ｂの電流の向きを紙面表側から裏側とし、磁束φの向きを半径方向とすると、真空アークは時計方向に駆動されるので、時計方向側の固定側接点５ｂと凹部５０ｂとの間隔を広くしている。逆に、反時計方向の固定側接点５ｂと凹部５０ｂとの間隔は狭くなっている。
【００４９】
固定側接点５ｃでは、電流の向きが紙面裏側から表側となり、磁束φの向きが中心方向となるので、真空アークが時計方向に駆動される。このため、固定側接点５ｂ側と同様に、時計方向側の固定側接点５ｃと凹部５０ｃとの間隔を広くしている。以降の固定側接点についても同様である。
【００５０】
なお、可動側接点７ｂ、７ｃ、７ｄは、固定側接点５ｂ、５ｃ、５ｄと対向して配置され、同様に偏心している。
【００５１】
上記実施例６の真空スイッチ１によれば、実施例１と同様の効果のほかに、真空アークを充分な空間部で駆動させることができる。
【実施例７】
【００５２】
次に、本発明の実施例７に係る真空スイッチを図８を参照して説明する。図８は、本発明の実施例７に係る真空スイッチの構成を示す要部拡大上面図である。なお、この実施例７が実施例５と異なる点は、固定側接点を固定する凹部を連結したことである。図８において、実施例５と同様の構成部分においては、同一符号を付し、その詳細な説明を省略する。
【００５３】
図８に示すように、固定側接点５ｃと固定側接点５ｄとが絶縁端板６０の真空容器内に設けられた楕円状の凹部６０ｂ内に所定の間隔を保って固定されている。固定側接点５ｂと固定側接点５ｅとは、前記凹部６０ｂと異なる楕円状の凹部６０ａおよび６０ｃに固定され、それぞれ隣り合う固定側接点と所定の間隔を保って固定されている。
【００５４】
また、凹部６０ｂを挟むように、永久磁石６１、６２が絶縁端板６０の真空容器外の凹部６３内周面と外周面間に設けられている。隣り合う凹部６０ａおよび６０ｃも同様に、永久磁石６１、６２がそれぞれ設けられている。なお、可動側接点７ｂ、７ｃ、７ｄ、７ｅは、固定側接点５ｂ、５ｃ、５ｄ、５ｅと対向して配置されている。
【００５５】
これにより、固定側接点５ｃの電流の向きを紙面裏側から表側とし、磁束φの向きを中心方向とすると、真空アークは時計方向に駆動される。また、固定側接点５ｄの電流の向きを紙面表側から裏側とし、磁束φの向きを半径方向とすると、真空アークは反時計方向に駆動される。このため、凹部６０ｂ内では、互いの真空アークが離間される方向に駆動されるので、干渉などを起こさないようになる。なお、隣り合う凹部６０ａおよび６０ｃ内の真空アークも同様である。
【００５６】
上記実施例７の真空スイッチ１によれば、実施例１と同様の効果のほかに、凹部６０ａ、６０ｂ、６０ｃの個数を抑えることができ構造が簡素なものとなる。
【実施例８】
【００５７】
次に、本発明の実施例８に係る真空スイッチを図９および図１０を参照して説明する。図９は、本発明の実施例８に係る真空スイッチの構成を示す要部拡大断面図、図１０は、本発明の実施例８に係る真空スイッチの構成を示す要部拡大上面図である。なお、この実施例８が実施例５と異なる点は、接点周囲に磁性体を設けたことである。図９、図１０において、実施例５と同様の構成部分においては、同一符号を付し、その詳細な説明を省略する。
【００５８】
図９に示すように、Ｕ字状の磁性体７０の開口部が絶縁端板５０の凹部５０ａの外周に挟み込まれている。また、固定側接点５ａに固定された主回路導体７１を磁性体７０に巻き付けている。
【００５９】
また、図１０に示すように、磁性体７０の開口部が凹部５０ｂおよび５０ｃの外周にそれぞれ挟み込まれている。また、固定側接点５ｂ、５ｃ間を接続する第４の外部固定側導体７２をこれらの磁性体７０に巻き付けている。
【００６０】
上記実施例８の真空スイッチ１によれば、実施例１と同様の効果のほかに、真空アークが磁界により駆動され遮断特性を向上させることができる。
【図面の簡単な説明】
【００６１】
【図１】本発明の実施例１に係る真空スイッチの構成を示す断面図。
【図２】本発明の実施例２に係る真空スイッチの構成を示す断面図。
【図３】本発明の実施例３に係る真空スイッチの構成を示す断面図。
【図４】本発明の実施例４に係る真空スイッチの構成を示す上面図。
【図５】本発明の実施例５に係る真空スイッチの構成を示す断面図。
【図６】本発明の実施例５に係る真空スイッチの構成を示す上面図。
【図７】本発明の実施例６に係る真空スイッチの構成を示す要部拡大上面図。
【図８】本発明の実施例７に係る真空スイッチの構成を示す要部拡大上面図。
【図９】本発明の実施例８に係る真空スイッチの構成を示す要部拡大断面図。
【図１０】本発明の実施例８に係る真空スイッチの構成を示す要部拡大上面図。
【符号の説明】
【００６２】
１  真空スイッチ
２、２０、４０、５０、６０  絶縁端板
３、４１、５１  真空容器
３ａ  底部
３ｂ  真空アーク
４ａ、４ｂ、７１  主回路導体
５ａ、５ｂ、５ｃ、５ｄ、５ｅ、５ｆ、５ｇ、５ｈ  固定側接点
６  固定側連結板
７ａ、７ｂ、７ｃ、７ｄ、７ｅ、７ｆ、７ｇ、７ｈ  可動側接点
８ａ  第１の可動側連結板
８ｂ  第２の可動側連結板
９  絶縁操作板
１０  操作ロッド
１１  ベローズ
１２ａ、１２ｂ、１２ｃ、１２ｄ  アークシールド
２０ａ、２０ｂ、２０ｃ、２０ｄ、４０ａ、４０ｂ、４０ｃ、４０ｄ、５０ａ、５０ｂ、５０ｃ、５０ｅ、５０ｆ、５０ｇ、５０ｈ、５２、６０ａ、６０ｂ、６０ｃ、６３  凹部
２１ａ、２１ｂ、５７ａ、５７ｂ、５７ｃ、５７ｄ、５７ｅ、５７ｆ  固定ピン
２２  外部固定側連結板
３０ａ、３０ｂ  連結ピン
３１ａ、３１ｂ  セラミックバネ
３２ａ、３２ｂ  鍔部
５３ａ  第１の外部固定側連結板
５３ｂ  第２の外部固定側連結板
５３ｃ  第３の外部固定側連結板
５４ａ  第３の可動側連結板
５４ｂ  第４の可動側連結板
５４ｃ  第５の可動側連結板
５５、５６、６１、６２  永久磁石
７０  磁性体
７２  第４の外部固定側連結板
【図１】
2006156272.tif 000003
【図２】
2006156272.tif 000004
【図３】
2006156272.tif 000005
【図４】
2006156272.tif 000006
【図５】
2006156272.tif 000007
【図６】
2006156272.tif 000008
【図７】
2006156272.tif 000009
【図８】
2006156272.tif 000010
【図９】
2006156272.tif 000011
【図１０】
2006156272.tif 000012